(57)【要約】【課題】薄型テレビジョン受像機の梱包箱のコンパクト化や小サイズ化を促進する。ユーザがスタンド組立作業を行うときの安全性や作業性を高める。【解決手段】本体ユニット１０と、スタンド３０とを備える。スタンド３０を偏平板状の台座部４０と首部５０とに分割する。首部５０に台座部４０を仮固定するための仮固定機構と、首部５０に仮固定された台座部４０を本固定するための本固定機構とを備える。仮固定機構が、フック部５７と、台座部４０をフック部に吊り下げる掛り部４７と、コア体５１に設けた被係合部７２及び座板カバー４５から延出した樹脂ばね部４８と、樹脂ばね部４８に設けた係合爪７１と、樹脂ばね部４８に具備させた誘導ガイド面７３とを有する。【選択図】図６
2013034076.tif 000002
【特許請求の範囲】
【請求項１】
外形を形作っているキャビネットを備えた本体ユニットと、この本体ユニットを支えるスタンドとを備え、上記スタンドが、台座部と、この台座部から立ち上がった首部と、を備えている薄型テレビジョン受像機において、
上記スタンドが台座部と首部とに分割され、かつ、台座部が偏平板状に形成されていると共に、上記首部に上記台座部を仮固定するための仮固定機構と、この仮固定機構を介して首部に仮固定された台座部を上記首部に本固定するための本固定機構と、を備えていることを特徴とする薄型テレビジョン受像機。
【請求項２】
上記首部に、上記本体ユニットに固着可能な取付部が設けられている請求項１に記載した薄型テレビジョン受像機。
【請求項３】
上記首部が、金属製のコア体とこのコア体を覆い隠しているコアカバーとを備え、上記取付部が、上記コア体から延出されて上記コアカバーの外側へ突出された板片部によって形成されていると共に、この取付部が上記本体ユニットにねじ止めされている請求項２に記載した薄型テレビジョン受像機。
【請求項４】
上記台座部が、裏面複数箇所に着座面を有する座板とこの座板に被せられた座板カバーとを備え、その座板カバーに、上記コア体及び上記コアカバーの各基端部が挿入される開口が備わり、かつ、上記座板と上記座板カバーとの相互間に上記開口に連通する隙間空間が形成されていると共に、上記座板に上記コア体及び上記コアカバーの各基端部が着座する支持座が備わっていて、
上記仮固定機構が、
上記コアカバーの基端部から延出されて、上記首部が倒伏姿勢にされたときに上向きに突出するフック部と、
上記開口の口縁により形成されて、上記開口を通して上記隙間空間に導入された上向きの上記フック部の根元に係合して上記台座部を上記フック部に吊り下げる掛り部と、
上記コア体に設けられた被係合部及び上記座板カバーから延出された樹脂ばね部に設けられて上記被係合部に係合可能な係合爪と、
上記樹脂ばね部に設けられて、上記掛り部を介して上記フック部に吊り下げられた台座部の座板カバーに備わっている上記開口に上記コア体及びコアカバーの各基端部を導入する工程で、上記被係合部と摺動して当該樹脂ばね部をその弾性に抗して後退変位させながら上記被係合部に上記係合爪を乗り越えさせてその係合爪を上記被係合部に係合させる誘導ガイド面と、を有し、
上記首部に対する上記台座部の仮固定状態では、上記係合爪が上記被係合部に係合して上記コア体の基端部が上記支持座に着座するように構成されている請求項１ないし請求項３のいずれか１項に記載した薄型テレビジョン受像機。
【請求項５】
上記樹脂ばね部に、当該樹脂ばね部をその弾性に抗して後退変位させて上記係合爪を上記被係合部から離脱させるための操作片が延出されていて、その操作片が上記座板に具備された孔部を通してその座板の裏面側に突出されている請求項４に記載した薄型テレビジョン受像機。
【請求項６】
上記台座部が、裏面複数箇所に着座面を有する座板とこの座板に被せられた座板カバーとを備え、その座板カバーに、上記コア体及び上記コアカバーの各基端部が挿入される開口が備わり、上記座板に上記コア体及び上記コアカバーの各基端部が着座する支持座が備わっていて、
上記仮固定機構が、
上記コア体に設けられた第１被係合部及び上記座板カバーから延出された第１樹脂ばね部に設けられて上記第１被係合部に係合可能な第１係合爪と、
上記第１樹脂ばね部に設けられて、台座部の座板カバーに備わっている上記開口に上記コア体及び上記コアカバーの各基端部を導入する工程で、上記第１被係合部と摺動してその第１樹脂ばね部を弾性に抗して後退変位させながら上記第１被係合部に上記第１係合爪を乗り越えさせてその第１係合爪を上記第１被係合部に係合させる第１誘導ガイド面と、
上記コアカバーに設けられた第２被係合部及び上記座板カバーから延出された第１樹脂ばね部とは別の第２樹脂ばね部に設けられて上記第２被係合部に係合可能な第２係合爪と、
上記第２樹脂ばね部に設けられて、台座部の座板カバーに備わっている上記開口に上記コア体及び上記コアカバーの各基端部を導入する工程で、上記第２被係合部と摺動してその第２樹脂ばね部を弾性に抗して後退変位させながら上記第２被係合部に上記第２係合爪を乗り越えさせてその第２係合爪を上記第２被係合部に係合させる第２誘導ガイド面と、を有し、
上記首部に対する上記台座部の仮固定状態では、上記第１係合爪が上記第１被係合部に係合し、かつ、上記第２係合爪が上記第２被係合部に係合して、上記コア体及び上記コアカバーの基端部が上記支持座に着座するように構成されている請求項１ないし請求項３のいずれか１項に記載されている薄型テレビジョン受像機。
【請求項７】
上記第１樹脂ばね部に、当該第１樹脂ばね部をその弾性に抗して後退変位させて上記第１係合部を上記第１被係合部から離脱させるための第１操作片が延出されていると共に、上記第２樹脂ばね部に、当該第２樹脂ばね部をその弾性に抗して後退変位させて上記第２係合部を上記第２被係合部から離脱させるための第２操作片が延出されていて、それらの第１及び第２の操作片が上記座板に具備された孔部を通してその座板の裏面側に突出されている請求項６に記載した薄型テレビジョン受像機。
【請求項８】
上記本固定機構が、台座部の座板に形成されたねじ挿通孔に挿通されて上記コア体に形成されたねじ孔にねじ込まれる取付けねじを備える請求項４ないし請求項７のいずれか１項に記載した薄型テレビジョン受像機。
【発明の詳細な説明】
【技術分野】
【０００１】
本発明は、薄型テレビジョン受像機、特に、外形を形作っているキャビネットを備えた本体ユニットを支えるスタンドが、台座部と、この台座部から立ち上がった首部と、を備えている薄型テレビジョン受像機に関する。
【背景技術】
【０００２】
図１１は従来例としての薄型テレビジョン受像機を分解して示した概略背面図である。同図の薄型テレビジョン受像機は、液晶型表示モジュールなどの表示モジュールを収容して外形を形作っているキャビネット１１を備えた本体ユニット１０と、本体ユニット１０を支えるためのスタンド３０とを備えている。スタンド３０は、偏平板状の台座部４０と、この台座部４０から立ち上がった首部５０と、この首部５０に設けられた取付部８０とを備えている。これに対し、本体ユニット１０には、台座部４０の取付部８０を相手方部材とする挿入空間１２が形成されている。そして、矢印ａのようにその挿入空間１２に挿入した取付部８０のねじ孔８１に、本体ユニット１０のキャビネット１１の背面で開口したねじ挿通孔１３に挿通させた取付けねじ（不図示）をねじ込んで締め付けることによって、本体ユニット１０にスタンド３０が取り付けられるようになっている。この薄型テレビジョン受像機において、スタンド３０は、台座部４０と取付部８０を備えた首部５０とが一体化されている。
【０００３】
図１２は図１１に示した薄型テレビジョン受像機の梱包形態を示した説明図であり、（Ａ）は側面から見た梱包形態、（Ｂ）は上面から見た梱包形態を示している。同図（Ａ）（Ｂ）のように、従来例の薄型テレビジョン受像機では、本体ユニット１０とその本体ユニット１０から取り外したスタンド３０とを１つの梱包箱１００に収容している。そして、梱包形態については、梱包箱１００の高さＨや横幅Ｌを短く抑えることの要請や、本体ユニット１０とスタンド３０との干渉によるそれらの損傷を回避することの要請などがあるために、梱包箱１００の内部で本体ユニット１０とスタンド３０とを横に並べ、偏平板状の台座部４０の一部だけを本体ユニット１０との上下方向重なり位置に配置するようにして、台座部４０から突出している首部５０やその首部５０から突出している取付部８０が本体ユニット１０の横位置に配置されるようにしていた。
【０００４】
また、従来例の薄型テレビジョン受像機では、台座部４０と首部５０とが一体化されているスタンド３０が、本体ユニット１０から取り外された状態で図１２のように梱包されていたので、ユーザにとっては、開梱後に、スタンド３０を図１１を参照して説明した手順を経て本体ユニット１０に取り付けることが必要になる。
【０００５】
一方、薄型テレビジョン受像機に関して、スタンドを本体ユニットに取り付ける作業の安全性や作業性を高めるための対策が従来より種々提案されている（たとえば、特許文献１〜５）。これらの特許文献１〜５によって提案されている薄型テレビジョン受像機は、いずれも、スタンドが、スタンドの構成部材、具体的には、台座部と、この台座部から立ち上がった首部と、この首部に設けられて本体ユニットに固着可能な取付部と、を一体に備えているという共通点を有している。そのため、この種の薄型テレビジョン受像機の梱包形態は、図１２を参照して説明したところと同様の形態を採用することによって、梱包箱の高さや横幅を低く抑えることの要請や、本体ユニットとスタンドとの干渉によるそれらの損傷を回避することの要請などに対処することが必要であると考えられる。
【先行技術文献】
【特許文献】
【０００６】
【特許文献１】特開２０１１−２７８７２号公報
【特許文献２】特開２００９−２６５２０５号公報
【特許文献３】特開２０１０−６８３８９号公報
【特許文献４】特開２０１０−２５０２０２号公報
【特許文献５】特開２００８−２０９８１９号公報
【発明の概要】
【発明が解決しようとする課題】
【０００７】
しかしながら、近時では、梱包のいっそうのコンパクト化や小サイズ化を促進して輸送コストなどの高騰を回避することが要求されている。
【０００８】
そこで、本願発明者は、本体ユニットとその本体ユニットから取り外したスタンドとを１つの梱包箱１００に収容することを基本として、薄型テレビジョン受像機の全体的な構成を見直し、本発明を完成させるに至った。すなわち、本発明は、図１２に示した従来例としての薄型テレビジョン受像機の梱包形態に比べて梱包箱の横幅Ｌを顕著に短くすることができるにもかかわらず、梱包箱の高さＨをそれと同等程度に維持することができるようにして梱包のいっそうのコンパクト化や小サイズ化を促進することのできる薄型テレビジョン受像機を提供することを目的とする。
【０００９】
また、本発明は、本体ユニットと本体ユニットから取り外したスタンドとを収容した梱包を開梱した後にユーザが組立作業を行う場合に、組立作業の安全性や作業性を高めるための対策が講じられた薄型テレビジョン受像機を提供することを目的とする。
【課題を解決するための手段】
【００１０】
本発明に係る薄型テレビジョン受像機は、外形を形作っているキャビネットを備えた本体ユニットと、この本体ユニットを支えるスタンドとを備え、上記スタンドが、台座部と、この台座部から立ち上がった首部と、を備えている。そして、上記スタンドが台座部と首部とに分割され、かつ、台座部が偏平板状に形成されていると共に、上記首部に上記台座部を仮固定するための仮固定機構と、この仮固定機構を介して首部に仮固定された台座部を上記首部に本固定するための本固定機構と、を備えている。
【００１１】
この構成であると、首部から分割されている台座部が偏平形状に形成されているため、そのような偏平形状の台座部を本体ユニットに重ねて梱包したとしても、梱包箱の高さがそれほど高くならない。また、台座部から分割されている首部を、仮に本体ユニットの横に位置させて梱包したとしても、首部はスタンド全体の大きさに比べて小さくしやすいということが云えるので、梱包箱の横幅をそれほど長くしなくて済む。
【００１２】
さらに、上記構成を備えている薄型テレビジョン受像機は、スタンドが台座部と首部とに分割されていて、しかも、首部に台座部を仮固定するための仮固定機構と、この仮固定機構を介して首部に仮固定された台座部を首部に本固定するための本固定機構と、を備えているので、首部に台座部を仮固定し、その後に、首部に仮固定された台座部を上記首部に本固定するという組立手順を採用することが可能になる。このように、台座部を首部に本固定するのに先立って仮固定することが、組立作業の安全性と作業性とを高めることに役立つ。
【００１３】
本発明では、上記首部に、上記本体ユニットに固着可能な取付部が設けられている、という構成を採用することが可能である。この構成であれば、台座部を仮固定するのに先立って首部を本体ユニットに固着することも、台座部を仮固定し、さらに本固定した後に首部を本体ユニットに固着することも可能である。
【００１４】
本発明では、上記首部が、金属製のコア体とこのコア体を覆い隠しているコアカバーとを備え、上記取付部が、上記コア体から延出されて上記コアカバーの外側へ突出された板片部によって形成されていると共に、この取付部が上記本体ユニットにねじ止めされていることが望ましい。この構成を採用すると、偏平形状の台座部を、取付部を介して首部が取り付けられて本体ユニットに重ねて梱包することができ、しかも、首部は本体ユニットに取り付けられているので、梱包箱の高さや横幅を短く抑えて梱包のコンパクト化や小サイズ化を容易に促進することが可能になる。
【００１５】
本発明では、スタンドの台座部の構成に工夫を講じ、さらに仮固定機構の構成にも工夫を講じることによって、開梱後の組立作業の安全性及び作業性を図っている。
【００１６】
すなわち、本発明では、上記台座部が、裏面複数箇所に着座面を有する座板とこの座板に被せられた座板カバーとを備え、その座板カバーに、上記コア体及び上記コアカバーの各基端部が挿入される開口が備わり、かつ、上記座板と上記座板カバーとの相互間に上記開口に連通する隙間空間が形成されていると共に、上記座板に上記コア体及び上記コアカバーの各基端部が着座する支持座が備わっている。そして、上記仮固定機構が、上記コアカバーの基端部から延出されて、上記首部が倒伏姿勢にされたときに上向きに突出するフック部と、上記開口の口縁により形成されて、上記開口を通して上記隙間空間に導入された上向きの上記フック部の根元に係合して上記台座部を上記フック部に吊り下げる掛り部と、上記コア体に設けられた被係合部及び上記座板カバーから延出された樹脂ばね部に設けられて上記被係合部に係合可能な係合爪と、上記樹脂ばね部に設けられて、上記掛り部を介して上記フック部に吊り下げられた台座部の座板カバーに備わっている上記開口に上記コア体及びコアカバーの各基端部を導入する工程で上記被係合部と摺動して当該樹脂ばね部をその弾性に抗して後退変位させながら上記被係合部に上記係合爪を乗り越えさせてその係合爪を上記被係合部に係合させる誘導ガイド面と、を有し、上記首部に対する上記台座部の仮固定状態では、上記係合爪が上記被係合部に係合して上記コア体の基端部が上記支持座に着座するように構成されている。
【００１７】
この構成を備える薄型テレビジョン受像機は、次の手順にしたがって安全に作業性よく組み立てることができる。すなわち、本体ユニットを倒伏させてその本体ユニットに取り付けられている首部を倒伏姿勢にした状態で、上向きのフック部を座板カバーの開口を通して隙間空間に導入することにより、そのフック部の根元に掛り部を係合させて台座部をフック部に吊り下げる。次に、フック部に吊り下げられた台座部の座板カバーの開口に、コア体及びコアカバーの各基端部を導入していく工程を行うと、その工程で、樹脂ばね部の誘導ガイド面に被係合部が摺動し、その摺動によって樹脂ばね部が弾性に抗して後退変位するのにつれて、係合爪が、被係合部を乗り越えた後に被係合部に係合する。こうして首部に対して台座部が仮固定された状態では、係合爪が被係合部に係合してコア体の基端部が支持座に着座する。この後、首部に仮固定された台座部を本固定機構によって首部に本固定する。
【００１８】
この組立手順を採用すると、台座部を首部側のフック部に吊り下げた後、その台座部を首部側に押し込むという操作を行うだけで台座部を首部に仮固定でき、しかも、一人の作業者が組立作業を安全にしかも作業性よく行うことができるという利点がある。
【００１９】
本発明では、上記樹脂ばね部に、当該樹脂ばね部をその弾性に抗して後退変位させて上記係合爪を上記被係合部から離脱させるための操作片が延出されていて、その操作片が上記座板に具備された孔部を通してその座板の裏面側に突出されている、という構成を採用することが可能である。この構成であると、組立て後にリワークの必要性が生じたときには、作業者が操作片を手の指で操作して係合爪を被係合部から離脱させることができるので、一旦組み立てたスタンドを簡単な操作で台座部と首部とに分解することが可能になる。
【００２０】
本発明では、次のような他の仮固定機構を採用することも可能である。
【００２１】
すなわち、この発明では、上記台座部が、裏面複数箇所に着座面を有する座板とこの座板に被せられた座板カバーとを備え、その座板カバーに、上記コア体及び上記コアカバーの各基端部が挿入される開口が備わり、上記座板に上記コア体及び上記コアカバーの各基端部が着座する支持座が備わっている。そして、上記仮固定機構が、上記コア体に設けられた第１被係合部及び上記座板カバーから延出された第１樹脂ばね部に設けられて上記第１被係合部に係合可能な第１係合爪と、上記第１樹脂ばね部に設けられて、台座部の座板カバーに備わっている上記開口に上記コア体及び上記コアカバーの各基端部を導入する工程で、上記第１被係合部と摺動してその第１樹脂ばね部を弾性に抗して後退変位させながら上記第１被係合部に上記第１係合爪を乗り越えさせてその第１係合爪を上記第１被係合部に係合させる第１誘導ガイド面と、上記コアカバーに設けられた第２被係合部及び上記座板カバーから延出された第１樹脂ばね部とは別の第２樹脂ばね部に設けられて上記第２被係合部に係合可能な第２係合爪と、上記第２樹脂ばね部に設けられて、台座部の座板カバーに備わっている上記開口に上記コア体及び上記コアカバーの各基端部を導入する工程で、上記第２被係合部と摺動してその第２樹脂ばね部を弾性に抗して後退変位させながら上記第２被係合部に上記第２係合爪を乗り越えさせてその第２係合爪を上記第２被係合部に係合させる第２誘導ガイド面と、を有し、上記首部に対する上記台座部の仮固定状態では、上記第１係合爪が上記第１被係合部に係合し、かつ、上記第２係合爪が上記第２被係合部に係合して、上記コア体及び上記コアカバーの基端部が上記支持座に着座するように構成されている。
【００２２】
この構成を備える薄型テレビジョン受像機は、次の手順にしたがって安全に作業性よく組み立てることができる。すなわち、好ましくは本体ユニットと共に首部を倒伏姿勢にした状態で、座板カバーの開口にコア体及びコアカバーの各基端部を押し込んで導入するようにすると、この工程で、第１及び第２の各樹脂ばね部の誘導ガイド面に第１及び第２の各被係合部が摺動し、その摺動によって各樹脂ばね部が弾性に抗して後退変位するのにつれて、第１及び第２の各係合爪が、各被係合部を乗り越えた後にそれらの各被係合部に係合する。こうして首部に対して台座部が仮固定された状態では、第１及び第２の各係合爪が第１及び第２の被係合部に係合して、コア体及びコアカバーの基端部が支持座に着座する。この後、首部に仮固定された台座部を本固定機構によって首部に本固定する。
【００２３】
この組立手順を採用すると、首部側のコア体及びコアカバーの各基端部を台座部側の開口に押し込んで導入するという操作を行うだけで台座部を首部に仮固定でき、しかも、一人の作業者が組立作業を安全にしかも作業性よく行うことができるという利点がある。
【００２４】
本発明では、上記第１樹脂ばね部に、当該第１樹脂ばね部をその弾性に抗して後退変位させて上記第１係合部を上記第１被被係合部から離脱させるための第１操作片が延出されていると共に、上記第２樹脂ばね部に、当該第２樹脂ばね部をその弾性に抗して後退変位させて上記第２係合部を上記第２被被係合部から離脱させるための第２操作片が延出されていて、それらの第１及び第２の操作片が上記座板に具備された孔部を通してその座板の裏面側に突出されていることが望ましい。この構成であると、組立て後にリワークの必要性が生じたときには、作業者が第１及び第２の各操作片を手の指で操作して係合爪を被係合部から離脱させることができるので、一旦組み立てたスタンドを簡単な操作で台座部と首部とに分解することが可能になる。
【００２５】
本発明では、上記本固定機構が、台座部の座板に形成されたねじ挿通孔に挿通されて上記コア体に形成されたねじ孔にねじ込まれる取付けねじを備える、という構成を採用することが可能である。この構成であれば、本固定をねじ止め構造によって確実に行うことが可能になる。
【発明の効果】
【００２６】
以上説明したように、本発明によれば、従来例による薄型テレビジョン受像機の梱包形態に比べて、薄型テレビジョン受像機の梱包箱の横幅を顕著に短くすることができるにもかかわらず、梱包箱の高さをそれと同等程度に維持することができるようになり、梱包のいっそうのコンパクト化や小サイズ化を促進することが可能になる。また、本体ユニットと本体ユニットから取り外したスタンドとを収容した梱包を開梱した後にユーザが組立作業を行う場合に、首部に台座部を本固定するのに先立って、両者を仮固定しておくことができるので、それだけ組立作業の安全性や作業性が高まるという効果が奏される。
【図面の簡単な説明】
【００２７】
【図１】本発明の実施形態に係る薄型テレビジョン受像機を分解して示した概略背面図である。
【図２】台座部の概略斜視図である。
【図３】本体ユニットに取り付けられた首部と台座部とを分解して示した概略背面図である。
【図４】本体ユニットに取り付けられた首部と台座部とを一部破断して示した分解側面図である。
【図５】首部に台座部を仮固定する工程の中間段階を一部破断して示した分解側面図である。
【図６】首部に台座部を仮固定した状態を一部破断して示した分解側面図である。
【図７】図６のＶＩＩ部を拡大して示した縦断側面図である。
【図８】変形例の仮固定機構によって仮固定された後に本固定された首部と台座部とを示した縦断側面図である。
【図９】他の変形例の仮固定機構によって仮固定された後に本固定された首部と台座部とを示した縦断側面図である。
【図１０】図１に示した薄型テレビジョン受像機の梱包形態を示した説明図であり、（Ａ）は側面から見た梱包形態の説明図、（Ｂ）は上面から見た梱包形態の説明図である。
【図１１】従来例としての薄型テレビジョン受像機を分解して示した概略背面図である。
【図１２】図１１に示した薄型テレビジョン受像機の梱包形態を示した説明図であり、（Ａ）は側面から見た梱包形態の説明図、（Ｂ）は上面から見た梱包形態の説明図である。
【発明を実施するための形態】
【００２８】
図１は本発明の実施形態に係る薄型テレビジョン受像機を分解して示した概略背面図、図２は台座部４０の概略斜視図、図３は本体ユニット１０に取り付けられた首部５０と台座部４０とを分解して示した概略背面図である。
【００２９】
図１の薄型テレビジョン受像機は、液晶型表示モジュールなどの表示モジュールを収容して外形を形作っているキャビネット１１を備えた本体ユニット１０と、本体ユニット１０を支えるためのスタンド３０とを備えている。スタンド３０は、偏平板状の台座部４０と、首部５０とを備えている。また、首部５０の頂部に取付部８０が設けられている。このようなスタンド３０の構成は、図１１を参照して説明した従来例でのスタンド３０を、台座部４０と首部５０とに分割した構成に相当している。
【００３０】
これに対し、本体ユニット１０には、台座部４０の頂部の取付部８０を相手方部材とする挿入空間１２が形成されている。そして、図３矢印ａのようにその挿入空間１２に挿入した取付部８０のねじ孔８１に、本体ユニット１０のキャビネット１１の背面で開口したねじ挿通孔１３（図１参照）に挿通させた取付けねじ（不図示）をねじ込んで締め付けることによって、本体ユニット１０に首部５０が取り付けられるようになっている。
【００３１】
また、図３によって判るように、本体ユニット１０に取り付けられた首部５０に対し、偏平板状の台座部４０を、後述する仮固定機構及び本固定機構を介して取り付けることにより、スタンド３０を組み立てることができるようになっている。なお、スタンド３０の組み立ては、本体ユニット１０から取り外された首部５０に対して行うことも可能である。
【００３２】
図１０は図１に示した薄型テレビジョン受像機の梱包形態を示した説明図であり、（Ａ）は側面から見た梱包形態、（Ｂ）は上面から見た梱包形態を示している。同図（Ａ）（Ｂ）のように、実施形態の薄型テレビジョン受像機の梱包形態では、スタンド３０の台座部４０から取り外された首部５０が、本体ユニット１０に取り付けられていて、偏平板状の台座部４０は、本体ユニット１０との重なり位置に位置している。このため、梱包箱１００の高さＨや横幅Ｌが、図１２を参照して説明した従来例による薄型テレビジョン受像機の梱包形態よりも短くなっている。図例の梱包形態を採用すると、梱包箱１００の高さＨや横幅Ｌを短く抑えることの要請や、本体ユニット１０とスタンド３０との干渉によるそれらの損傷を回避することの要請などに対処することが可能になり、輸送コストの低減化に役立つ。
【００３３】
図２に示したように、偏平板状の台座部４０は、座板４１とこの座板４１に被せられた座板カバー４５とによって構成されていて、その上面、具体的には座板カバー４５の表面には突出部分が存在しない。また、座板カバー４５の略中央部に矩形の開口４６が形成されている。
【００３４】
次に、首部５０に台座部４０を仮固定するための仮固定機構の構成及び作用などを図４〜図７を参照して説明する。図４は本体ユニット１０に取り付けられた首部５０と台座部４０とを一部破断して示した分解側面図である。また、図５は首部５０に台座部４０を仮固定する工程の中間段階を一部破断して示した分解側面図、図６は上記首部５０に台座部４０を仮固定した状態を一部破断して示した分解側面図、図７は図６のＶＩＩ部を拡大して示した縦断側面図である。
【００３５】
図４において、首部５０は、金属製のコア体５１とこのコア体５１を覆い隠している樹脂成形体でなるコアカバー５５とを備えている。コア体５１はその基端部５２が平板状に形成されていると共に、その平板状の基端部５２からブラケット５３が立ち上がっている。また、ブラッケット５３には板片部５４が曲成されていて、この板片部５４が、コアカバー５５の頂部からその外側（上方）へ突出され、その突出部分が上記した取付部８０を形成している。そして、同図のように、取付部８０が、本体ユニット１０のリアカバー１４側に設けられているボス部１６に重ね合わされていて、そのボス部１６のねじ挿通孔１３に挿通された取付けねじ（不図示）が取付部８０のねじ孔にねじ込まれている。
【００３６】
コアカバー５５は、側面視上窄まり形状に形成されていて、コア体５１の基端部５２を取り囲んでいるコアカバー５５の基端部５６がスカート状に前後に拡がっている。そして、コアカバー５１の基端部５６には後向きに突出するフック部５７が延出されていて、このフック部５７の根元５８には、コアカバー５１の基端部５６の外周面が位置している。
【００３７】
これに対し、台座部４０の座板４１と座板カバー４５との相互間には、座板カバー４５に開設されている上記開口４６に連通する隙間空間４２が形成されている。また、座板カバー４５の上記開口４６の口縁は、台座部４０を首部５０に仮固定する工程で上記フック部５７の根元５８に係合可能な掛り部４７として形成されている。さらに、座板４１の略中央部は、上記開口４６から挿入されたコア体５１及びコアカバー５５の各基端部５２，５６の下面が重なり状に着座する支持座４３として形成されている。
【００３８】
座板カバー４５は樹脂成形体でなる。この座板カバー４５には、蛇行状に延びる樹脂ばね部４８が延出されている。そして、この樹脂ばね部４８に係合爪７１が一体に形成されているのに対し、この係合爪７１の相手方である被係合部７２を、首部５０側のコア体５３の基端部５２の端縁に形成してある。さらに、樹脂ばね部４８には誘導ガイド面７３が備わっている。この誘導ガイド面７３は、開口４６にコア体５１及びコアカバー５５の各基端部５２，５６を導入する工程で、上記被係合部７２と摺動する。そして、誘導ガイド面７３が被係合部７２と摺動すると、樹脂ばね部４８がその弾性に抗して後退変位するので、被係合部７２が係合爪７１を乗り越えて係合爪７１に係合する。さらに、樹脂ばね部４８の自由端部に操作片７４が延出されている。この操作片７４は、座板４１に具備された孔部４４を通してその座板４１の裏面側に突出している。なお、座板４１には、その裏面複数箇所に着座面７５が備わっていて、これらの着座面７５を床面や置き台（不図示）などの上に着座させたときには、上記操作片７４が床面や置き台から離れて位置保持されるようになっている。
【００３９】
この実施形態では、仮固定機構が、上記したフック部５７、掛り部４７、樹脂ばね部４８、係合爪７１、誘導ガイド面７３などを備えてなる。
【００４０】
次に、図５〜図７を参照して本体ユニット１０に取り付けられている首部５０に台座部４０を仮固定するための組立工程を説明する。
【００４１】
図５は本体ユニット１０をその前面１５が下側になるように倒伏姿勢にして作業台（不図示）の上に載置した状態を示していて、その本体ユニっト１０に取り付けられている首部５０も倒伏姿勢に保たれている。この倒伏姿勢では、同図のように首部５０のコアカバー５５に設けられいるフック部５７が上向きに突出している。
【００４２】
仮固定するための組立工程では、図５のように、座板カバー４５の開口４６（図４参照）を通して台座部４０の座板４１と座板カバー４５との相互間の隙間空間４２に首部５０側のフック部５７を導入してから、台座部４０を矢印Ｙのように下降させることにより、開口４６（図４参照）の口縁によって形成されている掛り部４７をフック部５７の根元５８に係合させる。このようにすると、台座部４０がフック部５７により吊り下げられる。この吊り下げ状態では、フック部５７が座板カバー４５に係合して台座部４０の脱落を阻止するので、作業者はその後の作業を安全に行うことができる。また、台座部４０をフック部５７に吊り下げる作業は、一人の作業者で行うことができる。
【００４３】
次に、フック部５７に吊り下がっている台座部４０を、フック部５７の根元５８と掛り部４７との係合箇所を支点として、図５の矢印Ｒのように首部５０側へ押し込む。このようにすると、開口４６（図４参照）にコア体５１及びコアカバー５５の各基端部５２，５６が導入する工程が行われる。そして、この工程では、コア体５１側の被係合部７２が樹脂ばね部４８の誘導ガイド面７３と摺動するので、樹脂ばね部４８がその弾性に抗して後退変位する。そのため、被係合部７２が係合爪７１を乗り越えた後、図６又は図７のように樹脂ばね部４８の弾性復帰によって係合爪７１が被係合部７２に係合する。これにより首部５０に台座部４０が仮固定される。
【００４４】
図６又は図７のように、この仮固定状態では、係合爪７１が被係合部７２に係合してコア体５１の平板状の基端部５２が、座板４１によって形成されている支持座４３に重なり状に着座する。このようにコア体５１の平板状の基端部５２が、座板４１の支持座４３に重なり状に着座していると、台座部４０のぐらつきが平板状の基端部５２と支持座４３との重なり箇所によって抑制される。そのため、次に行われる本固定の工程を安定して安全に行うことが可能になる。
【００４５】
本固定機構は、台座部４０の座板４１に形成されたねじ挿通孔（不図示）に挿通されてコア体５１に形成されたねじ孔（不図示）にねじ込まれる取付けねじ９０を備えている。したがって、本固定は、台座部４０の座板４１に形成されたねじ挿通孔に挿通した取付けねじ９０（図３又は図７参照）を、コア体５１に形成されたねじ孔にねじ込んで締め付けることによって行われる。この本固定のためのねじ止め作業は、図６のように本体ユニット１０を倒伏姿勢にしたまま行われる。このときには、台座部４０が首部５０に仮固定機構を介して仮固定されているので、一人の作業者で安全に行うことができる。
【００４６】
図８は変形例の仮固定機構によって仮固定された後に本固定された首部５０と台座部４０とを示した縦断側面図である。
【００４７】
この事例では、コアカバー５５に延設されたフック部５７が、本体ユニット（不図示）の前側で前向きに突出していて、しかも、係合爪７１を備えた樹脂ばね部４８が本体ユニット１０の後側に配備されている。したがって、仮固定のための組立工程では、本体ユニットが、その背面を下側にして作業台に倒伏姿勢で載置される。仮固定機構の構成は図４に示した構成に準じている。さらに、仮固定のための組立工程は図５〜図７を参照して説明したところに準じて行われる。したがって、図４〜図７に示した要素と同一又は相応する要素に同一の符号を付すことによって説明の重複を回避する。
【００４８】
以上説明した薄型テレビジョン受像機は、本体ユニット１０を倒伏姿勢にした状態でスタンド３０を安全に組み立てることができるようにした事例である。
【００４９】
図９は他の変形例の仮固定機構によって仮固定された後に本固定された首部５０と台座部４０とを示した縦断側面図である。
【００５０】
図９に示した事例では、仮固定機構が次の構成を備えている。すなわち、コア体５１に設けられた第１被係合部１７２及び座板カバー５５から延出された第１樹脂ばね部１４８に設けられて第１被係合部１７２に係合可能な第１係合爪１７１と、第１樹脂ばね部１４８に設けられて、台座部４０の座板カバー４５に備わっている開口４６（図４参照）にコア体５１及びコアカバー５５の各基端部５２，５６を導入する工程で、第１被係合部１７２と摺動してその第１樹脂ばね部１４８を弾性に抗して後退変位させながら第１被係合部１７２に第１係合爪１７１を乗り越えさせてその第１係合爪１７１を第１被係合部１７２に係合させる第１誘導ガイド面１７３と、コアカバー５５に設けられた第２被係合部２７２及び座板カバー５５から延出された第２樹脂ばね部２４８に設けられて第２被係合部２７２に係合可能な第２係合爪２７１と、第２樹脂ばね部２４８に設けられて、台座部４０の座板カバー４５に備わっている開口４６（図４参照）にコア体５１及びコアカバー５５の各基端部５２，５６を導入する工程で、第２被係合部２７２と摺動してその第２樹脂ばね部２４８を弾性に抗して後退変位させながら第２被係合部２７２に第２係合爪２７１を乗り越えさせてその第２係合爪２７１を第２被係合部２７２に係合させる第２誘導ガイド面２７３と、を有している。
【００５１】
すなわち、この事例では、仮固定機構が、図４に示したフック部５７を有しておらず、その代わりに、座板カバー４５に、対向状態で第１及び第２の樹脂ばね部１４８，２４８を延設してあると共に、それらの樹脂ばね部１４８，２４８の一方（第１樹脂ばね部１４８）を、コア体５１の基端部５２の一端縁によって形成されている第１被係合部１７２に係合させ、他方（第２樹脂ばね部２４８）を、コア体５１の基端部５２の他端縁によって形成されている第２被係合部２７２に係合させるようにしている。そして、第１樹脂ばね部１４８と第２樹脂ばね部２４８とに、それぞれ誘導ガイド面１７３，２７３を具備させてある。
【００５２】
このため、台座部４０に対して、本体ユニットに取り付けられている首部５０のコア体５１及びコアカバー５５の各基端部５２，５６を矢印Ｙ１のように近付けていくことによって、それらを座板カバー４５の開口４６に挿入すると、コア体５１側の第１被係合部１７２とコアカバー５５側の第２被係合部２７２が第１及び第２の樹脂ばね部１４８，２４８の誘導ガイド面１７３，２７３と摺動し、それらの被係合部１７２，２７２が各樹脂ばね部１４８，２４８を弾性に抗して後退変位させながら第１及び第２の係合爪１７１，２７１を乗り越えてそれらの係合爪１７１，２７１に係合する。そして、首部５０に対して台座部４０が仮固定されると、第１係合爪１７１が第１被係合部１７２に係合し、第２係合爪２７１が第２被係合部２７２に係合して、コア体５１及びコアカバー５５の各基端部５２，５６が支持座４３に着座する。
【００５３】
この仮固定のための組立工程は、本体ユニット１０を倒伏姿勢にした状態でも、正立姿勢にした状態でも行うことができるけれども、本固定は、台座部４０が首部５０に仮固定されている状態で、本体ユニット１０を倒伏姿勢にして行うことが望ましい。なお、本固定は、上記したところと同様に、台座部４０の座板４１に形成されたねじ挿通孔に挿通した取付けねじ９０（図７参照）を、コア体５１に形成されたねじ孔にねじ込んで締め付けることによって行われる。
【００５４】
上記した図６や図８に示した事例に関して、首部５０に台座部４０を仮固定した後に、リワークなどを行う必要が生じたときには、操作片７４を動かして樹脂ばね部４８をその弾性に抗して後退変位させて係合爪７１を被係合部７２から離脱させた後、座板カバー４５の開口４６を通してコア体５１やコアカバー５５を抜き出す。
【００５５】
また、図９に示した事例に関して、首部５０に台座部４０を仮固定した後に、リワークなどを行う必要が生じたときには、第１及び第２の各樹脂ばね部１４８，２４８に設けられている操作片１７４，２７４を動かして樹脂ばね部１４８，２４８をその弾性に抗して後退変位させて第１係合爪１７１を第２被係合部２７２から離脱させた後、座板カバー４５の開口４６を通してコア体５１やコアカバー５５を抜き出す。
【００５６】
なお、図１〜図９において、同一又は相応する部分には同一の符号を付してある。
【符号の説明】
【００５７】
１０  本体ユニット
１１  キャビネット
３０  スタンド
４０  台座部
４１  座板
４２  隙間空間
４３  支持座
４４  孔部
４５  座板カバー
４６  開口
４７  掛り部
４８  樹脂ばね部
５０  首部
５１  コア体
５２  コア体の基端部
５４  板片部
５５  コアカバー
５６  コアカバーの基端部
５７  フック部
７１  係合爪
７３  誘導ガイド面
７４  操作片
７５  着座面
８０  取付部
９０  取付けねじ
１４８  第１樹脂ばね部
１７１  第１係合爪
１７２  第１被係合部
１７３  第１誘導ガイド面
１７４  第１操作片
２４８  第２樹脂ばね部
２７１  第２係合爪
２７２  第２被係合部
２７３  第２誘導ガイド面
２７４  第２操作片
【図１】
2013034076.tif 000003
【図２】
2013034076.tif 000004
【図３】
2013034076.tif 000005
【図４】
2013034076.tif 000006
【図５】
2013034076.tif 000007
【図６】
2013034076.tif 000008
【図７】
2013034076.tif 000009
【図８】
2013034076.tif 000010
【図９】
2013034076.tif 000011
【図１０】
2013034076.tif 000012
【図１１】
2013034076.tif 000013
【図１２】
2013034076.tif 000014